(57)【要約】【課題】当選したときに購入者の要望に応じた配当が得られるくじ番号を確実に購入できるくじ販売システムを提供する。【解決手段】くじ番号を選択するくじ販売システムにおいて、くじ販売装置20の入力部22にくじ番号を決定する条件を入力すると、ホストコンピュータ30の制御部34でこの条件を識別するＩＤが設定され、この条件およびＩＤは、条件記憶部38に記憶される。くじ販売が終了後、制御部34では、すでに購入済みのくじ番号を参照して、条件に合ったくじ番号が決定される。【選択図】図１
2008250424.tif 000002
【特許請求の範囲】
【請求項１】
番号を選択して購入されたくじ番号およびその数量を含む購入済情報を記憶するくじ番号記憶部を有するホストコンピュータを含むくじ販売システムにおいて、
該システムは、くじ番号を決定するための条件で購入者がくじを購入することができるくじ販売装置を含み、
該装置は、前記購入者が所望の前記条件および購入数量を含む購入情報を入力する入力手段と、
前記ホストコンピュータに対して情報を送受信する動作を制御する第１の制御手段と、
前記購入情報に固有の識別情報を購入者に知らせる出力手段とを含み、
前記ホストコンピュータは、前記くじ販売装置からの前記購入情報を受信し、該購入情報に対応させて前記識別情報を設定する第２の制御手段と、
前記購入情報と前記識別情報を関連付けて記憶する条件記憶手段とを含み、
第２の制御手段は、くじ販売の終了時に、前記購入済情報を参照し、前記購入情報に基づき前記条件に合ったくじ番号を決定し、該決定されたくじ番号を前記購入情報に対応する識別情報と関連付けて前記くじ番号記憶部に記憶することを特徴とするくじ販売システム。
【請求項２】
請求項１に記載のくじ販売システムにおいて、第２の制御手段は、くじ販売の終了時に、前記購入済情報と、該システムで予め設定されている当選金額とを参照し、前記購入情報に基づき前記条件に合ったくじ番号を決定することを特徴とするくじ販売システム。
【請求項３】
請求項１に記載のくじ販売システムにおいて、前記出力手段は、識別情報を印字することを特徴とするくじ販売システム。
【請求項４】
番号を選択して購入されたくじ番号およびその数量を含む購入済情報を記憶するホストコンピュータとともにくじ販売システムを形成するくじ販売装置において、
該くじ販売装置は、購入者が所望する条件および購入数量を含む購入情報を入力する入力手段と、
前記ホストコンピュータに前記購入情報を送信する送信手段と、
前記ホストコンピュータから前記購入情報に固有の識別情報を受信する受信手段と、
該受信手段による前記識別情報の受信に応じて該識別情報を出力する出力手段とを有することを特徴とするくじ販売装置。
【請求項５】
請求項４に記載のくじ販売装置において、前記受信手段は、くじ販売が終了した後に購入者が前記識別情報を入力することにより前記ホストコンピュータから、前記購入済情報を参照し、前記情報に基づき前記条件に合わせて決定されたくじ番号受信し、
前記出力手段は、前記受信手段による前記識別情報の受信に応じて前記くじ番号を出力することを特徴とするくじ販売装置。
【請求項６】
請求項５に記載のくじ販売装置において、前記出力手段は、画像を用いて前記くじ番号を出力することを特徴とするくじ販売装置。
【請求項７】
請求項５に記載のくじ販売装置において、前記出力手段は、印字することによって前記くじ番号を出力することを特徴とするくじ販売装置。
【発明の詳細な説明】
【技術分野】
【０００１】
本発明は、くじ販売システムおよびくじ販売装置に関するものであり、とくに番号選択式くじ販売システムおよびくじ販売装置に関するものである。
【背景技術】
【０００２】
従来、番号選択式くじ販売システムは、たとえばくじ販売装置に購入者が所望するくじ番号と購入数量を入力することにより、くじを購入することができる。くじ販売装置は入力されたくじ番号と購入数量の情報を印字し出力すると共に、入力されたくじ番号と購入数量の情報をホストコンピュータに送信し、ホストコンピュータのくじ番号記憶部に記憶される。くじの販売が終了したあと当選番号が決定され、ホストコンピュータに記憶されている購入されたくじ番号と購入数量の情報から配当金が算出され、くじ販売装置などを通じて当選番号と共に公表される。
【０００３】
このくじ販売システムにおいて、くじ販売装置は、たとえば、購入者の操作情報を受け取る入力部と、くじを出力する出力部と、それらを制御する制御部とを備える。他方、ホストコンピュータは、たとえば、販売したくじ番号およびその数量ならびに購入者に渡したくじを識別するための情報を記憶する記憶部と、記憶部を制御する制御部とを備える。またくじ販売装置の制御部とホストコンピュータの制御部とはネットワークなどの通信手段を用いて接続し、相互に情報を送受信することができる。
【０００４】
このような従来のくじ販売システムでは、たとえば、購入者がくじ販売装置の入力部にくじ番号と購入数量を入力すると、そのくじ番号と購入数量を含む購入情報は、制御部を通じてホストコンピュータに送信される。ホストコンピュータの制御部は、送付されてきたくじ番号に対応するユニークな識別情報（ＩＤ）を設定する。このＩＤは、くじの配当金を支払う場合に購入者が保有するくじの正当性を証明するために使用するものである。つぎに制御部は、ＩＤと購入情報とを記憶部に記憶する。さらに制御部は、購入情報とＩＤとをくじ販売装置の制御部に伝える。くじ販売装置の制御部はくじ番号とＩＤを出力するように出力部に命令し、出力部は、たとえば印字などによりくじ番号とＩＤを出力する。こうして購入者は、所望のくじ番号のくじを受け取る。
【０００５】
ところで、特許文献１に記載のレース投票券購入清算システムでは、できる限りのレースに関する情報が端末装置に表示され、それを参考に購入できることにより、同一場所でデータの収集と投票券の購入ができるシステムが開示されている。
【特許文献１】特開平10-40321号
【発明の開示】
【発明が解決しようとする課題】
【０００６】
従来のくじ販売システムでは、購入者は自分の選択したくじ番号がすでにどれくらい販売されているのか知ることはできず、同じ番号の販売数が多いと、たとえ当選したとしても配当金が少なくなる可能性がある。また、全体の購入状況情報などの情報により購入時点での販売数が少ないくじ番号を選択したとしても、くじ購入後に同じくじ番号の販売数が増えれば、やはり配当金が少なくなり購入者の要望に応じた配当金が得られない可能性がある。
【０００７】
本発明はこのような従来技術の欠点を解消し、購入者の要望に応じた配当が得られるくじ番号を確実に購入できるくじ販売システムおよびくじ販売装置を提供することを目的とする。
【課題を解決するための手段】
【０００８】
本発明は上述の課題を解決するために、所望するくじ番号と購入数量を入力するくじ販売装置と、このくじ販売装置に通信手段にて接続され、購入くじ番号と購入数量を記憶するくじ番号記憶部を含むホストコンピュータとを有するくじ販売システムは、購入者がくじ番号を決定するための条件を入力することができるくじ販売装置を含み、このくじ販売装置は、購入者が所望の条件および購入数量を含む購入情報を入力する入力手段と、このホストコンピュータに対して情報を送受信する動作を制御する第１の制御手段と、購入情報に固有の識別情報を購入者に知らせる出力手段とを含み、またこのホストコンピュータは、このくじ販売装置からの購入情報を受信し、この購入情報に対応させて識別情報を設定する第２の制御手段と、この購入情報とこの識別情報を関連付けて記憶する条件記憶手段とを含み、第２の制御部は、くじ販売の終了時に、購入済情報を参照し、購入情報に基づきくじ決定のための条件に合ったくじ番号を決定する制御手段と、決定されたくじ番号を購入情報に対応する識別情報と関連付けてくじ番号記憶部に記憶する制御手段とを含むことを特徴とする。
【０００９】
また、このくじ販売装置は、購入者が所望する条件および購入数量を含む購入情報を入力する入力手段と、ホストコンピュータにこの購入情報を送信する送信手段と、このホストコンピュータからこの購入情報に固有の識別情報を受信する受信手段と、この受信手段に応じて識別情報を出力する出力手段とを有することを特徴とする。
【発明の効果】
【００１０】
本発明のくじ販売システムによれば、くじ購入時にはくじ番号決定のための条件を入力し、くじ販売完了後にこの条件を満足するくじ番号を取得することができるため、当選した時には高配当金を得ることができる。
【発明を実施するための最良の形態】
【００１１】
次に添付図面を参照して、本発明によるくじ販売システムの実施例を詳細に説明する。たとえば実施例のくじ販売システム10は、図１に示すように、購入者が操作し購入者が所望する条件に応じたくじを購入する条件入力用くじ販売装置20（以下、くじ販売装置と称する）と、このくじ販売装置20とネットワークなどで連結し、購入情報信号を送受信することができ、その購入情報の処理を行なうホストコンピュータ30とを含むもので、購入者がくじ販売装置20にくじ番号を決定するための条件を購入情報として入力することにより、ホストコンピュータ30にてその情報を受信し条件に合ったくじ番号を生成するシステムである。なお、本発明の理解に直接関係のない部分は、図示を省略し、冗長な説明を避ける。
【００１２】
くじ販売装置20は、購入者が入力操作を行なうための入力部22、制御部24および出力部26を含む。
【００１３】
ホストコンピュータ30は、制御部34、くじ番号記憶部36および条件記憶部38を含む。ホストコンピュータ30は、実際には多数のくじ販売装置と接続されるが、図１では、複雑化を避けるため、少数のくじ販売装置20しか図示しない。またホストコンピュータ30は、本実施例のくじ販売装置20以外の装置、たとえば、購入者が選択した実際のくじ番号を入力してくじを販売する番号入力用くじ販売装置（図示せず）と接続してもよい。ホストコンピュータ30は、この番号入力用くじ販売装置からくじ番号を示す情報を受信して、当該くじ番号およびその販売数量を示す情報を購入済情報としてくじ番号記憶部36に登録することができる。また、この番号入力用くじ販売装置は、くじ番号として、番号（数字）を複数組み合わせたものを扱うものでよい。
【００１４】
本実施例のくじ販売装置20の入力部22は、くじ番号を決定する条件、購入数量などを含む購入情報を購入者（図示しない）が入力する入力インタフェースとしての機能を有し、この購入情報を示す情報信号102を制御部24に供給するものである。入力部22は、くじ番号を決定する条件として、たとえば、「一人も選択していない番号」、「指定の数字を含んでいる番号」、「指定の数字を末尾に含んでいる番号」もしくは「配当金が指定金額以上になる番号」が得られる条件、または、これらの条件の組合せを受け付けることができる。
【００１５】
くじ販売装置20の制御部24は、くじ販売装置20全体の動作を制御、統括する主制御機能を有し、またインタフェース機能を有してもよく、入力部22から供給された購入情報信号102をホストコンピュータ30の制御部34に、またホストコンピュータ30の制御部34から識別情報（ＩＤ）を含むＩＤ情報信号108をくじ販売装置20の制御部24に、インターネットやＬＡＮ（ローカルエリアネットワーク）などのネットワークを介して送受信するものである。もちろんこのネットワークは有線、無線などのいずれの通信方式でもよい。
【００１６】
くじ販売装置20の出力部26は、制御部24から供給される、購入情報を識別できる識別情報（ＩＤ）を含むＩＤ信号110からＩＤを識別する機能と、このＩＤを出力する機能を有し、たとえばそのＩＤを印字物などの出力物に出力して、購入者に知らせるものである。
【００１７】
本実施例において、このＩＤは、くじの配当金を支払う場合に購入者が保有するくじの正当性を証明するために使用するものである。
【００１８】
また、くじ販売装置20の入力部22は、くじの販売が終了した後に、購入者がＩＤに関連づけられたくじ番号を知るためにＩＤを入力する入力インタフェースとしての機能を有してもよい。
【００１９】
また、くじ販売装置20の制御部24は、くじの販売が終了した後に、入力部22から供給されたＩＤ情報をホストコンピュータ30に送信する機能、およびホストコンピュータ30から送信されるＩＤに関連づけられたくじ番号を受信し、出力部26に供給する機能を有してもよい。
【００２０】
また、くじ販売装置20の出力部26は、くじの販売が終了した後に、制御部24から供給されるＩＤに関連づけられたくじ番号を、たとえば画像に表示する機能およびその結果を印字する機能を有してもよい。
【００２１】
ホストコンピュータ30の制御部34は、ホストコンピュータ30の全体の動作を制御、統括する主制御機能を有し、インターネットやＬＡＮを介してくじ販売装置20の制御部24から供給される購入情報信号104を受信する機能と、この購入情報信号104に対応したＩＤを設定する機能と、この設定されたＩＤを含むＩＤ情報信号108をネットワークを介して、くじ販売装置20の制御部24に送信する機能と、くじ番号を決定する条件、購入数量および設定されたＩＤを含むＩＤ情報信号106を条件記憶部38に記憶させる機能とを有する。
【００２２】
さらに、くじの販売が終了後に、制御部34は、くじ番号および販売数量を含む購入済情報112をくじ番号記憶部36から、また購入条件を含むＩＤ情報信号114を条件記憶部38からそれぞれ読み出し、システム10で予め設定されている当選金額ならびに、くじ番号、販売数量を参照して、購入条件に合ったくじ番号を決定する機能を有する。制御部34はまた、この決定したくじ番号と当該ＩＤ情報信号114とを関連づけたくじ番号−ＩＤ情報信号116をくじ番号記憶部36に記憶させる機能を有する。ここで、条件に合ったくじ番号を決定するときに条件に合ったくじ番号が複数あった場合、ランダムに一つを選択することができる。
【００２３】
構成図には示さないが、配当金の受け取りは、くじの当選番号が決定後、購入者が購入時に知らされてある正規のＩＤ記録媒体、たとえば正規の印字紙片を配当金支払所に持参し、ホストコンピュータ30のくじ番号記憶部36に記憶されているＩＤに紐付けされたくじ番号を取得する。この取得したくじ番号が当選番号と同じであれば、配当金が支払われる。またインターネットにて、このＩＤにてホストコンピュータ30にアクセスし、取得したくじ番号の確認、当選番号の確認することも可能である。
【００２４】
くじ番号記憶部36は、購入済みのくじ番号と数量とを記憶する機能と、制御部34から供給されるくじ番号−ＩＤ情報信号116を記憶する機能を有する。さらに、くじの販売が終了時に、購入済情報112を制御部34の指示に基づき制御部34に供給する機能を有する。
【００２５】
条件記憶部38は、制御部34から供給されるＩＤ情報信号106を記憶する機能を有する。さらに、くじの販売が終了時に、ＩＤ情報信号114を制御部34の指示に基づき制御部34に出力する機能を有する。
【００２６】
次に、本実施例におけるくじ販売システム10において、購入者がくじ販売装置20を操作してくじを購入する動作を図２のフローチャートを参照しながら説明する。
【００２７】
本実施例のくじ販売システム10では、購入者がくじ販売装置20の入力部22にくじ番号を決定するための条件と購入数量とを入力する(S200)。
【００２８】
くじ番号を決定するための条件と購入数量とを含む購入情報102は、くじ販売装置20の制御部24に供給される。
【００２９】
その購入情報102は、購入情報104として、くじ販売装置20の制御部24からネットワークを介してホストコンピュータ30の制御部34に送信される。
【００３０】
ホストコンピュータ30の制御部34では、購入情報104を受信すると、この購入情報に対応したＩＤを設定する(S202)。
【００３１】
この設定されたＩＤは、くじ番号を決定するための条件および購入数量とともに条件記憶部38に記憶される(S204)。それと同時に、この設定されたＩＤは、ネットワークを介して、くじ販売装置20の制御部24に送信され、くじ販売装置20の出力部26にて購入者に出力される(S206)。
【００３２】
くじの販売が終了する(S208)と、当選番号が決定する前に、ホストコンピュータ30の制御部34にて、本システム10で予め設定された当選金額、ならびにくじ番号記憶部36から読み出された購入済情報112を参照して、条件記憶部38から読み出されたＩＤ情報114が示す購入条件に基づき、その購入条件を満足するくじ番号が決定され(S210)、このＩＤに紐付けされたくじ番号として、くじ番号−ＩＤ情報信号116が、くじ番号記憶部36に記憶される。この時点で、たとえば購入者は、くじ販売装置20にすでに知らされたＩＤを入力することによりホストコンピュータ30に照会し、決定されたくじ番号をくじ販売装置20の画面もしくは印字物により知得することができる。
【００３３】
当選番号が決定(S212)後、くじ番号が当選番号と一致した場合には、購入者は、要望する条件に応じた配当金が得られる。
【００３４】
このように、本発明によれば、くじ購入時にくじ番号を決定するための条件として高配当が得られるような条件を指定することにより、その条件に応じたくじ番号を得ることができ、当選した場合には高配当金を得ることができる。
【００３５】
なお、実際のくじ購入において、購入者本人が本発明のくじ販売装置を操作するのではなく、くじ販売員を通じて購入する場合もあるが、この場合の販売員は単に購入者の操作を代行するだけであり、販売員および購入者は、くじ販売装置の操作者として同じと考えられる。また、実物のくじを購入者に渡さないで、くじを購入したという情報で渡したこととする場合もある。その場合は、実物のくじを渡すシステムとはシステム構成に違いが生じるが、原理的には同じと考えてよい。
【図面の簡単な説明】
【００３６】
【図１】本発明のくじ販売システムの一実施例を示すブロック図である。
【図２】図１に示すくじ販売システムの動作手順を説明するフローチャートである。
【符号の説明】
【００３７】
20  くじ販売装置
22  入力部
24  制御部
26  出力部
30  ホストコンピュータ
34  制御部
36  くじ番号記憶部
38  条件記憶部
【図１】
2008250424.tif 000003
【図２】
2008250424.tif 000004